(57)【要約】【課題】表示コントラストが高く、視認性に優れた電気泳動表示シート、電気泳動表示装置、およびかかる電気泳動表示装置を備えた信頼性の高い電子機器を提供すること。【解決手段】電気泳動表示装置１は、正または負に帯電した第１の電気泳動粒子Ａと、第１の電気泳動粒子Ａと反対の極に帯電し、かつ、第１の電気泳動粒子Ａよりも明度の低い色をなす第２の電気泳動粒子Ｂと、第１の電気泳動粒子Ａおよび第２の電気泳動粒子Ｂが互いに泳動可能な共有空間Ｓ１と、共有空間Ｓ１に連通し、第２の電気泳動粒子Ｂを収容する収容空間Ｓ２と、収容空間Ｓ２に隣接して設けられた金属光沢を有する光反射面７１１と、共有空間Ｓ１および収容空間Ｓ２を介して対向配置された一対の電極６１、６２とを有している。【選択図】図１
2010020004.tif 000002
【特許請求の範囲】
【請求項１】
正または負に帯電した第１の電気泳動粒子と、
前記第１の電気泳動粒子と反対の極に帯電し、かつ、前記第１の電気泳動粒子よりも明度の低い色をなす第２の電気泳動粒子と、
前記第１の電気泳動粒子および前記第２の電気泳動粒子が互いに泳動可能な共有空間と、
前記共有空間に連通し、前記第２の電気泳動粒子を収容する収容空間と、
前記収容空間に隣接して設けられた金属光沢を有する光反射面と、
前記共有空間および前記収容空間を介して対向配置された一対の電極とを有することを特徴とする電気泳動表示シート。
【請求項２】
前記収容空間に臨む面と、該面に開放する溝とを有する敷設部を有し、該敷設部の前記面が前記光反射面を構成し、前記溝が前記収容空間を構成する請求項１に記載の電気泳動表示シート。
【請求項３】
前記光反射面は、前記第１の電気泳動粒子および前記第２の電気泳動粒子の泳動方向に対して直交するように設けられている請求項２に記載の電気泳動表示シート。
【請求項４】
前記溝の深さ方向は、前記第１の電気泳動粒子および前記第２の電気泳動粒子の泳動方向と平行である請求項２または３に記載の電気泳動表示シート。
【請求項５】
前記溝の深さ方向は、前記第１の電気泳動粒子および前記第２の電気泳動粒子の泳動方向に対して傾斜している請求項２または３に記載の電気泳動表示シート。
【請求項６】
前記溝の深さは、前記第２の粒子の外径より大きい請求項２ないし５のいずれかに記載の電気泳動表示シート。
【請求項７】
前記溝の幅は、前記第２の電気泳動粒子の外径より大きく、かつ、前記第１の電気泳動粒子の外径よりも小さい請求項２ないし６のいずれかに記載の電気泳動表示シート。
【請求項８】
前記溝は、格子状に形成されている請求項２ないし７のいずれかに記載の電気泳動表示シート。
【請求項９】
正または負に帯電した第１の電気泳動粒子と、
前記第１の電気泳動粒子と反対の極に帯電し、かつ、前記第１の電気泳動粒子よりも明度の低い色をなす第２の電気泳動粒子と、
前記第１の電気泳動粒子および前記第２の電気泳動粒子が互いに泳動可能な共有空間と、
前記共有空間に連通し、前記第２の電気泳動粒子を収容する収容空間と、
前記収容空間に隣接して設けられ、前記第２の電気泳動粒子の色の明度よりも高い明度を有する面と、
前記共有空間および前記収容空間を介して対向配置された一対の電極とを有することを特徴とする電気泳動表示シート。
【請求項１０】
前記有色面は、白色である請求項９に記載の電気泳動表示シート。
【請求項１１】
前記収容空間に臨む面と、該面に開放する溝とを有する敷設部を有し、該敷設部の前記面が前記第２の電気泳動粒子の色の明度よりも高い明度を有する面を構成し、前記溝が前記収容空間を構成する請求項９または１０に記載の電気泳動表示シート。
【請求項１２】
前記有色面は、前記第１の電気泳動粒子および前記第２の電気泳動粒子の泳動方向に対して直交するように設けられている請求項１１に記載の電気泳動表示シート。
【請求項１３】
前記溝の深さ方向は、前記第１の電気泳動粒子および前記第２の電気泳動粒子の泳動方向と平行である請求項１１または１２に記載の電気泳動表示シート。
【請求項１４】
前記溝の深さ方向は、前記第１の電気泳動粒子および前記第２の電気泳動粒子の泳動方向に対して傾斜している請求項１１または１２に記載の電気泳動表示シート。
【請求項１５】
前記溝の深さは、前記第２の粒子の外径より大きい請求項１１ないし１４のいずれかに記載の電気泳動表示シート。
【請求項１６】
前記溝の幅は、前記第２の電気泳動粒子の外径より大きく、かつ、前記第１の電気泳動粒子の外径よりも小さい請求項１１ないし１５のいずれかに記載の電気泳動表示シート。
【請求項１７】
前記溝は、格子状に形成されている請求項１１ないし１６のいずれかに記載の電気泳動表示シート。
【請求項１８】
前記収容部は、前記第２の電気泳動粒子のみを収容するよう構成されている請求項１ないし１７のいずれかに記載の電気泳動表示シート。
【請求項１９】
前記第１の電気泳動粒子は、白色の粒子であり、前記第２の電気泳動粒子は、黒色の粒子である請求項１ないし１８のいずれかに記載の電気泳動表示シート。
【請求項２０】
請求項１ないし１９のいずれかに記載の電気泳動表示シートと、該電気泳動表示シートの前記収容空間側に設けられた基板とを備えることを特徴とする電気泳動表示装置。
【請求項２１】
平面状に配設された複数の前記収容空間を有しており、前記複数の収容空間のうちの１または２以上の収容空間ごとに、前記電界の発生・解除を選択可能となっている請求項２０に記載の電気泳動表示装置。
【請求項２２】
請求項２１に記載の電気泳動表示装置を備えることを特徴とする電子機器。
【発明の詳細な説明】
【技術分野】
【０００１】
本発明は、電気泳動表示シート、電気泳動表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有していて、電子ペーパーの画像表示部として、特に適している。
特許文献１には、対向配置された個別透明電極および共通電極と、これらの間に設けられたセルとを備えた表示装置が記載されている。セルは、分離部材と封止部材とで構成されている。このようなセルは、個別透明電極側から共通電極側に向けて横断面積の小さくなる円すい形をなしている。また、セル内には、帯電着色粒子を分散させた絶縁性液体が充填されている。
【０００３】
特許文献１の表示装置では、個別透明電極側に帯電着色粒子が集まった場合には、個別透明電極を介して帯電着色粒子の色が視認され（すなわち、表示色として帯電着色粒子の色が表示され）、共通電極側に帯電着粒子が集まった場合には、帯電着色粒子が集まったところ以外の分離部材の色（セルの内壁の色）が支配的に視認される。色の切り替えは、個別透明電極および共通電極間に所定の電界を発生させることにより帯電着色粒子を電気泳動させることにより行われる。
【０００４】
このような表示装置では、例えば帯電着色粒子を黒色とし分離部材を白色とすると白黒表示が可能となる。しかしながら、白色表示の際には、帯電着色粒子が共通電極側（すなわち、円すい形をなすセルの頂点付近に）局所的に集ることにより形成された集合体（黒色の部分）が個別透明電極を介して視認されてしまうため、明るい白色表示をすることができない。したがって、特許文献１の表示装置では、高コントラスト表示を行うことが困難である。
【０００５】
【特許文献１】特公平６−５２３５８号公報
【発明の開示】
【発明が解決しようとする課題】
【０００６】
本発明の目的は、表示コントラストが高く、視認性に優れた電気泳動表示シート、電気泳動表示装置、およびかかる電気泳動表示装置を備えた信頼性の高い電子機器を提供することにある。
【課題を解決するための手段】
【０００７】
このような目的は、下記の本発明により達成される。
本発明の電気泳動表示シートは、正または負に帯電した第１の電気泳動粒子と、
前記第１の電気泳動粒子と反対の極に帯電し、かつ、前記第１の電気泳動粒子よりも明度の低い色をなす第２の電気泳動粒子と、
前記第１の電気泳動粒子および前記第２の電気泳動粒子が互いに泳動可能な共有空間と、
前記共有空間に連通し、前記第２の電気泳動粒子を収容する収容空間と、
前記収容空間に隣接して設けられた金属光沢を有する光反射面と、
前記共有空間および前記収容空間を介して対向配置された一対の電極とを有することを特徴とする。
これにより、表示コントラストが高く、視認性に優れた電気泳動表示シートを提供することができる。また、電気泳動表示シートの薄型化および省電力化を図ることができる。
【０００８】
本発明の電気泳動表示シートでは、前記収容空間に臨む面と、該面に開放する溝とを有する敷設部を有し、該敷設部の前記面が前記光反射面を構成し、前記溝が前記収容空間を構成することが好ましい。
これにより、光反射面および収容空間の形成が比較的簡単となる。
本発明の電気泳動表示シートでは、前記光反射面は、前記第１の電気泳動粒子および前記第２の電気泳動粒子の泳動方向に対して直交するように設けられていることが好ましい。
これにより、共有空間内に入射した外光を光反射面により、効率よく反射することができるため、白色表示の明るさおよび表示コントラストを高めることができる。
【０００９】
本発明の電気泳動表示シートでは、前記溝の深さ方向は、前記第１の電気泳動粒子および前記第２の電気泳動粒子の泳動方向と平行であることが好ましい。
これにより、第２の電気泳動粒子が溝内（収容空間）に侵入し易くなり、より確実に、第２の電気泳動粒子を溝内に収容することができるようになる。そのため、白色表示の明るさおよび表示コントラストを高めることができる。
【００１０】
本発明の電気泳動表示シートでは、前記溝の深さ方向は、前記第１の電気泳動粒子および前記第２の電気泳動粒子の泳動方向に対して傾斜していることが好ましい。
これにより、溝の内部（収容空間）がより視認され難くなる。そのため、溝内に収容された第２の電気泳動粒子もより目立たなくなる。その結果、白色表示の明るさおよび表示コントラストをより高めることができる。
【００１１】
本発明の電気泳動表示シートでは、前記溝の深さは、前記第２の粒子の外径より大きいことが好ましい。
これにより、物理的に溝内に収容することのできない第２の電気泳動粒子が存在しなくなり、その結果、白色表示の明るさおよび表示コントラストを高めることができる。
本発明の電気泳動表示シートでは、前記溝の幅は、前記第２の電気泳動粒子の外径より大きく、かつ、前記第１の電気泳動粒子の外径よりも小さいことが好ましい。
これにより、第１の電気泳動粒子が溝内に収容されることを防止することができ、第１の電気泳動粒子が溝の内壁に固着することによる、収容空間の減少や、泳動することのできる第１の電気泳動粒子の数の減少が防止される。その結果、表示コントラストを高めることができるとともに、その表示特性（初期特性）を長時間維持することができる。
本発明の電気泳動表示シートでは、前記溝は、格子状に形成されていることが好ましい。
これにより、収容空間を、第２の電気泳動粒子を収容するのに十分に、かつ、均一的に形成することができる。
【００１２】
本発明の電気泳動表示シートは、正または負に帯電した第１の電気泳動粒子と、
前記第１の電気泳動粒子と反対の極に帯電し、かつ、前記第１の電気泳動粒子よりも明度の低い色をなす第２の電気泳動粒子と、
前記第１の電気泳動粒子および前記第２の電気泳動粒子が互いに泳動可能な共有空間と、
前記共有空間に連通し、前記第２の電気泳動粒子を収容する収容空間と、
前記収容空間に隣接して設けられ、前記第２の電気泳動粒子の色の明度よりも高い明度を有する面と、
前記共有空間および前記収容空間を介して対向配置された一対の電極とを有することを特徴とする。
これにより、表示コントラストが高く、視認性に優れた電気泳動表示シートを提供することができる。また、電気泳動表示シートの薄型化および省電力化を図ることができる。
【００１３】
本発明の電気泳動表示シートでは、前記有色面は、白色であることが好ましい。
これにより、さらに表示コントラストが高くなる。
本発明の電気泳動表示シートでは、前記収容空間に臨む面と、該面に開放する溝とを有する敷設部を有し、該敷設部の前記面が前記第２の電気泳動粒子の色の明度よりも高い明度を有する面を構成し、前記溝が前記収容空間を構成することが好ましい。
これにより、光反射面および収容空間の形成が比較的簡単となる。
本発明の電気泳動表示シートでは、前記有色面は、前記第１の電気泳動粒子および前記第２の電気泳動粒子の泳動方向に対して直交するように設けられていることが好ましい。
これにより、共有空間内に入射した外光を光反射面により、効率よく反射することができるため、白色表示の明るさおよび表示コントラストを高めることができる。
【００１４】
本発明の電気泳動表示シートでは、前記溝の深さ方向は、前記第１の電気泳動粒子および前記第２の電気泳動粒子の泳動方向と平行であることが好ましい。
これにより、第２の電気泳動粒子が溝内（収容空間）に侵入し易くなり、より確実に、第２の電気泳動粒子を溝内に収容することができるようになる。そのため、白色表示の明るさおよび表示コントラストを高めることができる。
【００１５】
本発明の電気泳動表示シートでは、前記溝の深さ方向は、前記第１の電気泳動粒子および前記第２の電気泳動粒子の泳動方向に対して傾斜していることが好ましい。
これにより、溝の内部（収容空間）がより視認され難くなる。そのため、溝内に収容された第２の電気泳動粒子もより目立たなくなる。その結果、白色表示の明るさおよび表示コントラストをより高めることができる。
【００１６】
本発明の電気泳動表示シートでは、前記溝の深さは、前記第２の粒子の外径より大きいことが好ましい。
これにより、物理的に溝内に収容することのできない第２の電気泳動粒子が存在しなくなり、その結果、白色表示の明るさおよび表示コントラストを高めることができる。
本発明の電気泳動表示シートでは、前記溝の幅は、前記第２の電気泳動粒子の外径より大きく、かつ、前記第１の電気泳動粒子の外径よりも小さいことが好ましい。
これにより、第１の電気泳動粒子が溝内に収容されることを防止することができ、第１の電気泳動粒子が溝の内壁に固着することによる、収容空間の減少や、泳動することのできる第１の電気泳動粒子の数の減少が防止される。その結果、表示コントラストを高めることができるとともに、その表示特性（初期特性）を長時間維持することができる。
本発明の電気泳動表示シートでは、前記溝は、格子状に形成されていることが好ましい。
これにより、収容空間を、第２の電気泳動粒子を収容するのに十分に、かつ、均一的に形成することができる。
【００１７】
本発明の電気泳動表示シートでは、前記収容部は、前記第２の電気泳動粒子のみを収容するよう構成されていることが好ましい。
これにより、第１の電気泳動粒子が溝内に収容されることを防止することができ、第１の電気泳動粒子が溝の内壁に固着することによる、収容空間の減少や、泳動することのできる第１の電気泳動粒子の数の減少が防止される。その結果、表示コントラストを高めることができるとともに、その表示特性（初期特性）を長時間維持することができる。
本発明の電気泳動表示シートでは、前記第１の電気泳動粒子は、白色の粒子であり、前記第２の電気泳動粒子は、黒色の粒子であることが好ましい。
これにより、白黒表示が可能となり、表示コントラストを高くすることができる。
【００１８】
本発明の電気泳動表示装置は、本発明の電気泳動表示シートと、該電気泳動表示シートの前記収容空間側に設けられた基板とを備えることを特徴とする。
これにより、表示コントラストが高く、視認性に優れた電気泳動表示装置を提供することができる。また、電気泳動表示シートの薄型化および省電力化を図ることができる。
本発明の電気泳動表示装置では、平面状に配設された複数の前記収容空間を有しており、前記複数の収容空間のうちの１または２以上の収容空間ごとに、前記電界の発生・解除を選択可能となっていることが好ましい。
これにより、多数の画素が集合してなる画像を表示することができる。
本発明の電子機器は、本発明の電気泳動表示装置を備えることを特徴とする。
これにより、視認性に優れた電気泳動表示装置を備える電子機器を提供することができる。また、電気泳動表示シートの薄型化および省電力化を図ることができる。
【発明を実施するための最良の形態】
【００１９】
以下、本発明の電気泳動表示シート、電気泳動表示装置および電子機器を添付図面に示す好適実施形態に基づいて詳細に説明する。
＜電気泳動表示装置＞
≪第１実施形態≫
まず、本発明の電気泳動表示シートを適用した電気泳動表示装置（本発明の電気泳動表示装置）の第１実施形態について説明する。
【００２０】
図１は、本発明の電気泳動表示装置の第１実施形態を模式的に示す縦断面図、図２は、図１の電気泳動表示装置が備える底部を示す拡大平面図、図３は、図１の電気泳動表示装置が備える底部を示す拡大断面図、図４、図５は、それぞれ、図１に示す電気泳動表示装置の作動を説明する断面図、図６、図７は、それぞれ、図１に示す電気泳動表示装置の製造方法を説明する断面図である。なお、以下の説明では、図１、図３〜図７中の上側を「上」、下側を「下」と言う。また、図１に示すように、互いに直交する３軸をそれぞれ、ｘ軸、ｙ軸およびｚ軸とする。
【００２１】
図１に示す電気泳動表示装置１は、回路基板（バックプレーン）８と、回路基板８の上面に接合された電気泳動表示シート２とで構成されている。回路基板８は、平板状の基部８１と、基部８１に設けられた、例えばＴＦＴ等のスイッチング素子を含む回路（図示せず）とを有するものである。
図１に示すように、電気泳動表示シート２は、表示層５と、表示層５の上側に設けられた共通電極６１と、表示層５の下側に設けられた個別電極６２とを有している。個別電極６２は、マトリクス状に配設され、互いに離間する複数の電極片６２１で構成される。各電極片６２１は、前述したスイッチング素子に接続されている。これにより、各電極片６２１に独立して電圧を印加することができる。
【００２２】
表示層５は、下方に向けて凹没する複数の凹部７がマトリックス状に形成された分離部材３１と、凹部７の上部開口を塞ぐようにして分離部材３１と接合したシート状（板状）の封止部材３２とを有している。
分離部材３１および封止部材３２は、液密に接合されている。そのため、各凹部７の内面（内壁）と封止部材３２の下面とにより収容部４が画成される。この収容部４は、前述した複数の電極片６２１に対応するように形成されている。各収容部４には、２種の電気泳動粒子、すなわち、第１の電気泳動粒子Ａおよび第２の電気泳動粒子Ｂを液相分散媒に分散させてなる電気泳動分散液１０が封入されている。このような各収容部４は、表示内容を構成する各画素に対応するものである。
【００２３】
各凹部７は、底部（敷設部）７１を有している。底部７１は、収容部４に臨む光反射面７１１と、収容部４に連通する（光反射面７１１に開放する）溝７１２とを有している。このように、底部７１が溝７１２を有することにより、収容部４の内部空間は、溝７１２の内部空間と、それ以外の空間（溝７１２の上方の空間）とで構成されていると言える。後述するように、溝７１２の内部空間は、第２の電気泳動粒子Ｂを収容する収容空間Ｓ２であり、それ以外の空間は、第１の電気泳動粒子Ａおよび第２の電気泳動粒子Ｂを互いに泳動させる共有空間Ｓ１である。
このような構成の電気泳動表示装置１は、共通電極６１と個別電極６２の間に電圧を印加することにより各収容部４に所望の電界を作用させ、当該電界の作用により電気泳動粒子Ａ、Ｂをそれぞれ共有空間Ｓ１内で泳動させることにより、共通電極６１を介して視認される各収容部４内の色を変化させ、所望の画像情報や文字情報を表示するものである。
【００２４】
以下では、１つの収容部４について取り上げ、各部の構成について順次説明する。なお、複数の収容部４において、以下の各部の構成は同様である。
分離部材３１および封止部材３２のうち、少なくとも封止部材３２は、実質的に無色透明である。これにより、図１中上側から封止部材３２を介して収容部４の内部を視認することができる。なお、封止部材３２は、封止部材３２を介して収容部４の内部を視認可能であれば（すなわち、光透過性を有していれば）無色透明でなくてもよく、例えば、着色されていてもよい。
【００２５】
分離部材３１および封止部材３２は、それぞれ、可撓性を有するもの、硬質なもののいずれであってもよいが、可撓性を有するものであるのが好ましい。可撓性を有するものを用いることにより、可撓性を有する電気泳動表示装置１を得ることができる、これにより、例えば電子ペーパーを構築する上で有利となる。
また、分離部材３１および封止部材３２を可撓性を有するものとする場合、その構成材料としては、それぞれ、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２６】
分離部材３１の厚さおよび封止部材３２の厚さは、それぞれ、特に限定されないが、互いの厚さの合計（すなわち、表示層５の厚さ）が、１０〜５００μｍ程度となるよう設計されるのが好ましく、２０〜１００μｍ程度となるよう設計されるのがより好ましい。これにより、電気泳動表示装置１の柔軟性と強度との調和を図りつつ、電気泳動表示装置１の小型化（特に、薄型化）を図ることができる。
【００２７】
共通電極６１および個別電極６２のうち、少なくとも共通電極６１は、実質的に無色透明である。これにより、図１中上側から共通電極６１および封止部材３２を介して収容部４の内部を視認することができる。なお、共通電極６１は、共通電極６１を介して収容部４の内部を視認可能であれば（すなわち、光透過性を有していれば）無色透明でなくてもよく、例えば、着色されていてもよい。
【００２８】
共通電極６１および個別電極６２の構成材料としては、それぞれ、実質的に導電性を有するものであれば特に限定されず、例えば、銅、アルミニウム、ニッケル、コバルト、白金、金、銀、モリブデン、タンタルまたはこれらを含む合金等の金属材料、カーボンブラック、カーボンナノチューブ、フラーレン等の炭素系材料、ポリアセチレン、ポリピロール、ポリチオフェン、ポリアニリン、ポリ（ｐ−フェニレン）、ポリ（ｐ−フェニレンビニレン）、ポリフルオレン、ポリカルバゾール、ポリシランまたはこれらの誘導体等の電子導電性高分子材料、ポリビニルアルコール、ポリカーボネート、ポリエチレンオキシド、ポリビニルブチラール、ポリビニルカルバゾール、酢酸ビニル等のマトリックス樹脂中に、各種イオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００２９】
その他、共通電極６１および個別電極６２の構成材料としては、それぞれ、例えば、ガラス材料、ゴム材料、高分子材料等の導電性を有さない材料中に、金、銀、ニッケル、カーボン等の導電性材料（導電性粒子）を混合して、導電性を付加したような各種複合材料も使用することができる。
このような複合材料の具体例としては、例えば、ゴム材料中に導電性材料を混合した導電性ゴム、エポキシ系、ウレタン系、アクリル系等の接着剤組成物中に導電性材料を混合した導電性接着剤または導電性ペースト、ポリオレフィン、ポリ塩化ビニル、ポリスチレン、ＡＢＳ樹脂、ナイロン（ポリアミド）、エチレン酢酸ビニル共重合体、ポリエステル、アクリル系樹脂、エポキシ系樹脂、ウレタン系樹脂等のマトリックス樹脂中に導電性材料を混合した導電性樹脂等が挙げられる。
このような共通電極６１および個別電極６２の平均厚さは、それぞれ、構成材料等により適宜設定され、特に限定されないが、０．０５〜１０μｍ程度であるのが好ましく、０．０５〜５μｍ程度であるのがより好ましい。
【００３０】
次いで、収容部４に充填された電気泳動分散液１０について説明する。
電気泳動分散液１０は、第１の電気泳動粒子Ａおよび第２の電気泳動粒子Ｂを液相分散媒に分散してなるものである。電気泳動粒子Ａ、Ｂの液相分散媒への分散は、例えば、ペイントシェーカー法、ボールミル法、メディアミル法、超音波分散法、撹拌分散法等のうちの１種または２種以上を組み合わせて行うことができる。
【００３１】
液相分散媒としては、比較的高い絶縁性を有するものが好適に使用される。
かかる液相分散媒としては、例えば、ベンゼン、トルエン、ｏ−キシレン、ｍ−キシレン、ｐ−キシレン、混合キシレン、エチルベンゼン、ヘキシルベンゼン、ドデシルベンゼン、フェニルキシリルエタンなどのベンゼン系炭化水素などの芳香族炭化水素類；ｎ−ヘキサン、ｎ−デカンなどのパラフィン系炭化水素、アイソパー（Ｉｓｏｐａｒ、エクソン化学社製）などのイソパラフィン系炭化水素、１−オクテン、１−デセンなどのオレフィン系炭化水素、シクロヘキサン、デカリンなどのナフテン系炭化水素などの脂肪族炭化水素類；ケロシン、石油エーテル、石油ベンジン、リグロイン、工業ガソリン、コールタールナフサ、石油ナフサ、ソルベントナフサなどの石油や石油由来の炭化水素混合物；ジクロロメタン、クロロホルム、四塩化炭素、１，２−ジクロロエタン、１，１，１−トリクロロエタン、１，１，２，２−テトラクロロエタン、トリクロロフルオロエタン、テトラブロモエタン、ジブロモテトラフルオロエタン、テトラフルオロジヨードエタン、１，２−ジクロロエチレン、トリクロロエチレン、テトラクロロエチレン、トリクロロフルオロエチレン、クロロブタン、クロロシクロヘキサン、クロロベンゼン、ｏ−ジクロロベンゼン、ブロモベンゼン、ヨードメタン、ジヨードメタン、ヨードホルムなどのハロゲン化炭化水素類；ジメチルシリコーンオイル、メチルフェニルシリコーンオイルなどのシリコーンオイル類（有機シリコーンオイル類）；ハイドロフルオロエーテルなどのフッ素系溶剤（有機フッ素系溶剤）；からなる群より選択される少なくとも１種が好適に用いられる。
また、前述した有機溶媒の中でも、沸点、および引火点が高く、毒性もほとんどないことから、ヘキシルベンゼン、ドデシルベンゼンなどの長鎖アルキルベンゼン、フェニルキシリルエタンなどが特に好ましく用いられる。
【００３２】
なお、液相分散媒には、前述したものの他、例えば、メチルセロソルブ、エチルセロソルブ、フェニルセロソルブ等のセロソルブ類、酢酸メチル、酢酸エチル、酢酸ブチル、ギ酸エチル等のエステル類、アセトン、メチルエチルケトン、ジエチルケトン、メチルイソブチルケトン、メチルイソプロピルケトン、シクロヘキサノン等のケトン類、シクロへキサン、メチルシクロへキサン等の脂環式炭化水素類、ピリジン、ピラジン、フラン、ピロール、チオフェン、メチルピロリドン等の芳香族複素環類、アセトニトリル、プロピオニトリル、アクリロニトリル等のニトリル類、Ｎ，Ｎ−ジメチルホルムアミド、Ｎ，Ｎ−ジメチルアセトアミド等のアミド類、カルボン酸塩類等を用いることができる。
【００３３】
また、液相分散媒中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。
さらに、液相分散媒を着色する場合には、液相分散媒に、必要に応じて、アントラキノン系染料、アゾ系染料、インジゴイド系染料等の各種染料を溶解するようにしてもよい。
【００３４】
第１の電気泳動粒子Ａおよび第２の電気泳動粒子Ｂは、互いに反対の極性に帯電している。そのため、これら電気泳動粒子Ａ、Ｂに、電界が作用すると（共通電極６１および個別電極６２間に電圧が印加されると）、第１の電気泳動粒子Ａおよび第２の電気泳動粒子Ｂは、液相分散媒中を互いに反対方向へ電気泳動する。以下では、説明の便宜上、第１の電気泳動粒子Ａが正に帯電する粒子であり、第２の電気泳動粒子Ｂが負に帯電する粒子である場合について代表して説明する。なお、この逆であってもよい。
【００３５】
また、第１の電気泳動粒子Ａおよび第２の電気泳動粒子Ｂは、互いに異なる色をなしている。第１の電気泳動粒子Ａおよび第２の電気泳動粒子Ｂの色としては、互いに異なっていれば、それぞれ、特に限定されず、例えば、白色、黒色またはこれらの中間色（灰色）などの無彩色や、赤色、青色、緑色などの有彩色が挙げられる。
第１の電気泳動粒子Ａおよび第２の電気泳動粒子Ｂの色の組み合わせとしては、特に限定されず、例えば、第１の電気泳動粒子Ａが白色の粒子、第２の電気泳動粒子Ｂが黒色の粒子である組み合わせや、第１の電気泳動粒子Ａが青色の粒子、第２の電気泳動粒子Ｂが赤色の粒子である組み合わせ等が挙げられる。これらの中でも、第１の電気泳動粒子Ａおよび第２の電気泳動粒子Ｂの色の組み合わせとしては、特に、白色と黒色の組み合わせが好ましい。これにより、電気泳動表示装置１において、白黒表示が可能となり、表示コントラストを高めることができる。以下では、説明の便宜上、第１の電気泳動粒子Ａが白色の粒子であり、第２の電気泳動粒子Ｂが黒色の粒子であるものについて説明する。なお、この逆であってもよい。また、以下では、説明の便宜上、第１の電気泳動粒子Ａを「白色粒子Ａ」とも言い、第２の電気泳動粒子Ｂを「黒色粒子Ｂ」とも言う。
【００３６】
以上のような白色粒子Ａおよび黒色粒子Ｂには、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
顔料粒子を構成する顔料としては、例えば、アニリンブラック、カーボンブラック、チタンブラック等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
このうち、顔料粒子としては、酸化チタン粒子が白色粒子Ａとして好適に用いられ、チタンブラック粒子が黒色粒子Ｂとして好適に用いられる。これらの粒子は、電界に対する応答性が高く、また、反射率の差が大きいことから、高コントラスト表示を可能にするものである。
【００３７】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができる。
また、白色粒子Ａおよび黒色粒子Ｂの形状は、それぞれ、特に限定されないが、球形状であるのが好ましい。
【００３８】
白色粒子Ａおよび黒色粒子Ｂは、それぞれ、液相分散媒中での分散性を考慮した場合、より小さいものが好適に用いられ、具体的には、その平均粒径が、１０〜５００ｎｍ程度であるのが好ましく、２０〜３００ｎｍ程度であるのがより好ましい。白色粒子Ａおよび黒色粒子Ｂの平均粒径をそれぞれ前記範囲とすることにより、白色粒子Ａおよび黒色粒子Ｂの凝集や沈降を確実に防止して、白色粒子Ａおよび黒色粒子Ｂを液相分散媒中に分散させることができる。その結果、電気泳動表示装置１の表示品質の劣化を好適に防止することができる。
【００３９】
なお、本実施形態では、白色粒子Ａの平均粒径を黒色粒子Ｂの平均粒径より大きく設定するのが好ましい。これにより、凹部７の底部７１に形成された溝７１２に、黒色粒子Ｂのみが収容されることとなる。その結果、後述するように、電気泳動表示装置１は、電気泳動表示装置１の白色表示の明るさおよび表示コントラストを高めることができるとともに、初期の特性を長時間維持することができる。
より具体的には、白色粒子Ａの平均粒径をＤ１とし、黒色粒子Ｂの平均粒径をＤ２としてとき、Ｄ１は、１．５Ｄ２〜１５Ｄ２程度であることが好ましい。さらには、黒色粒子Ｂの平均粒径を２０〜１００ｎｍ程度、白色粒子Ａの平均粒径を１５０〜３００ｎｍ程度とするのが好ましい。
【００４０】
また、白色粒子Ａおよび黒色粒子Ｂの比重は、それぞれ、液相分散媒の比重とほぼ等しくなるように設定されているのが好ましい。これにより、白色粒子Ａおよび黒色粒子Ｂは、共通電極６１および個別電極６２間への電圧の印加を停止した後においても、液相分散媒中において一定の位置に長時間滞留することができる。
すなわち、このような電気泳動表示装置１は、共通電極６１および個別電極６２間に電圧を印加した際の表示状態を、電圧の印加を止めた後でも維持し得る性質（双安定性）を有するものである。
【００４１】
かかる性質（双安定性）を有する電気泳動表示装置１では、表示の切り替え時のみ、共通電極６１および個別電極６２間に電圧を印加すればよいため、消費電力を大幅に低減することが可能となる。また、白色粒子Ａおよび黒色粒子Ｂが安定的に泳動するため、電圧を小刻みに印加する等、多様なパターンで電圧を印加することができ、電気泳動粒子の泳動をより複雑に制御することが可能となる。このため、表示品位の向上を図ることができる。
【００４２】
次いで、凹部７が有する底部（敷設部）７１について説明する。
図２は底部７１の拡大平面図、図３は、底部７１の断面図である。なお、図２、図３では、説明の便宜上、電気泳動分散液１０の図示を省略している。
図２は、底部７１を共通電極６１側から見たときの平面図である。同図に示すように、底部７１は、共有空間Ｓ１に臨む光反射面７１１と、共有空間Ｓ１に連通（光反射面７１１に開放）する溝７１２とを有している。
【００４３】
溝７１２は、黒色粒子Ｂを収容する収容空間Ｓ２である。
図２に示すように、溝７１２は、ｘ軸方向に沿って形成された複数のｘ軸方向延在溝７１２ｘと、ｙ軸方向に沿って形成された複数のｙ軸方向延在溝７１２ｙとで構成されている。複数のｘ軸方向延在溝７１２ｘは、等ピッチで形成されており、同様に、複数のｙ軸方向延在溝７１２ｙも、等ピッチで形成されている。また、ｘ軸方向延在溝７１２ｘのピッチとｙ軸方向延在溝７１２ｙのピッチは、等しくなっている。
すなわち、本実施形態では、溝７１２は、格子状に形成されていると言える。このように溝７１２を格子状とすることにより、黒色粒子Ｂを収容するのに十分な大きさの収容空間Ｓ２を簡単かつ均一に形成することができる。
【００４４】
以下、ｘ軸方向延在溝７１２ｘとｙ軸方向延在溝７１２ｙについて説明するが、ｘ軸方向延在溝７１２ｘとｙ軸方向延在溝７１２ｙは、互いに同様の構成（幅、深さ等の形状）であるため、ｘ軸方向延在溝７１２ｘについて代表して説明し、ｙ軸方向延在溝７１２ｙについては、その説明を省略する。
各ｘ軸方向延在溝７１２ｘの幅（図２中Ｗで示される長さ）および深さ（図３中Ｔで示される長さ）は、それぞれ、黒色粒子Ｂの最大粒径よりも大きいことが好ましい。これにより、全ての黒色粒子Ｂをｘ軸方向延在溝７１２ｘ内に収容することができる。言い換えれば、物理的にｘ軸方向延在溝７１２ｘ内に侵入することのできない黒色粒子Ｂが存在しなくなる。そのため、後述するように、白色表示の明るさおよび表示コントラストを高めることができる。
【００４５】
また、各ｘ軸方向延在溝７１２ｘの幅は、白色粒子Ａの最小粒径よりも小さいが好ましい。これにより、白色粒子Ａは、ｘ軸方向延在溝７１２ｘ内に侵入することができなくなる。そのため、後述するように、表示色の切り替えを繰り返しても、初期特性（初期の白色表示の明るさおよびコントラスト）を維持することのできる電気泳動表示装置１を得ることができる。
【００４６】
各ｘ軸方向延在溝７１２ｘの幅Ｗとしては、特に限定されないが、黒色粒子Ｂの最大外径Ｄ２ｍａｘの１．１〜２．０倍程度であるの好ましく、１．３〜１．５倍程度であるのがより好ましい。また、各ｘ軸方向延在溝７１２ｘの幅Ｗとしては、特に限定されないが、白色粒子Ａの最小外径Ｄ１ｍｉｎの０．９〜０．１倍程度であるの好ましく、０．１〜０．５倍程度であるのがより好ましい。各ｘ軸方向延在溝７１２ｘの幅Ｗを上記範囲内とすることにより、上記効果がより顕著なものとなる。すなわち、白色表示の明るさおよび表示コントラストを高めることができるとともに、その表示特性（初期特性）を長時間維持することができる。
【００４７】
また、図３に示すように、各ｘ軸方向延在溝７１２ｘは、その深さ方向がｚ軸方向と平行となるように形成されている。これにより、黒色粒子Ｂがｘ軸方向延在溝７１２ｘ内に侵入し易くなり、より確実に、黒色粒子Ｂをｘ軸方向延在溝７１２ｘ内に収容することができるようになる。そのため、白色表示の明るさおよび表示コントラストを高めることができる。
【００４８】
光反射面７１１は、金属光沢を有している。このように、光反射面７１１が金属光沢を有していると、共通電極６１側から収容部４内に入射した外光を効率よく反射することができる。これにより、後述するように、白色表示の明るさおよび表示コントラストを高めることができる。
光反射面７１１は、ｘ軸とｙ軸とで規定されるｘ−ｙ平面と略平行となるように形成されている。後述するように電気泳動表示装置１の作動時には、白色粒子Ａおよび黒色粒子Ｂが互いにｚ軸方向に向けて泳動するため、光反射面７１１は、白色粒子Ａおよび黒色粒子Ｂの泳動方向に対いて直交するよう設けられているとも言える。これにより、光反射面７１１が凹部７の上部開口（共通電極６１）と対向することとなり、共通電極６１側から収容部４内に入射した外光をより効率よく反射することができる。そのため、白色表示の明るさおよび表示コントラストを高めることができる。
【００４９】
光反射面７１１は、複数の単位光反射面７１１ａにより構成されている。すなわち、各単位光反射面７１１ａが、ｘ−ｙ平面と略平行となるように形成され、かつ、金属光沢を有している。このような各単位光反射面７１１ａは、隣接する一対のｘ軸方向延在溝７１２ｘと、隣接する一対のｙ軸方向延在溝７１２ｙとで画成されている。
光反射面７１１は、例えば、底部７１の上面に、アルミニウム、銀、ニッケル、クロム、錫、タンタル、パラジウム、白金、イリジウム、ハフニウム、モリブデン等の金属材料、またはこれらの金属材料の１種または２種以上を含む合金（または混合物）を主材料として構成された薄膜を形成することにより得ることができる。これらの中でも、光反射面７１１は、アルミニウムまたは銀を主材料として構成された薄膜であるのがより好ましい。これらの材料は、優れた金属光沢を有するため、光反射率の高い光反射面７１１が得られる。
以上のように、底部７１に光反射面７１１と溝７１２（収容空間Ｓ２）とを設けることにより、これらの形成が比較的簡単となる。
【００５０】
−電気泳動表示装置１の作動−
このような電気泳動表示装置１は、次のようにして作動する。なお、以下の説明では、図４、５中の上側を「上」、下側を「下」と言う。また、以下では、説明の便宜上、白色粒子Ａが正に帯電しており、黒色粒子Ｂが負に帯電している場合について代表して説明する。
【００５１】
≪白色表示状態≫
まず、表示色として白色（白色粒子Ａの色彩）が視認される状態について説明する。
共通電極６１が負電位、個別電極６２が正電位となるように、共通電極６１および個別電極６２間に電圧を印加すると、図４中縦方向（上下方向）に電界が生じる。この電界の作用により、白色粒子Ａおよび黒色粒子Ｂがそれぞれ分散媒中を泳動する。
【００５２】
具体的には、白色粒子Ａは、正に帯電した粒子であるため、負電位となっている共通電極６１に電気的に吸着されるように、共通電極６１側（上側）に向けて泳動し、一方の黒色粒子Ｂは、負に帯電する粒子であるため、正電位となっている個別電極６２に電気的に吸着されるように、個別電極６２側（下側）に向けて泳動する。
このような電圧印加状態（電界発生状態）を維持すると、図４に示すように、白色粒子Ａは、収容部４の天井面（封止部材３２の下面）に到達し、共通電極６１付近に集合する。これにより、共通電極６１を介して白色粒子Ａの色が視認され、白色表示状態となる。
【００５３】
一方の黒色粒子Ｂは、底部７１に到達し、さらに、溝７１２内に侵入する。このような状態では、白色粒子Ａを透過した光が黒色粒子Ｂに吸収されることなく、光反射面７１１にて反射されるため、電気泳動表示装置１の使用者は、白色粒子Ａによる反射光のみでなく、光反射面７１１による反射光をも視認することになるため、結果として白色表示における明るさが高くなる。その結果、電気泳動表示装置１の白色表示の明るさおよびコントラストを高めることができる。
【００５４】
また、白色表示の際に溝７１２内に黒色粒子Ｂを収容し、黒色粒子Ｂを隠す（目立たなくする）ことができるため、収容部４の厚さを薄くしても、明るい白色表示を行うことができる。そのため、白色表示の明るさおよび表示コントラストを高めつつ、電気泳動表示装置１の薄型化（小型化）を図ることができる。また、薄型化を図ることにより、共通電極６１と個別電極６２との離間距離が小さくなるため、その分、低電圧駆動が可能となり、省電力化を図ることもできる。
【００５５】
また、凹部７において収容部４を仕切る部分の高さを低くすることができるので凹部７の工程が平易なものとなり歩留まりが向上する。さらに凹部７において収容部４を仕切る部分の高さを低くすることで強度を高いものとすることができ、信頼性の高いデバイスが得られる。また凹部７において収容部４を仕切る部分の強度が十分確保される場合においては、その分凹部７において収容部４を仕切る部分の厚さを薄くすることが可能となり収容部４の面積を大きくすることが可能で白表示の明るさをさらに高めることも可能となる。
【００５６】
≪黒色表示状態≫
次いで、表示色として黒色（黒色粒子Ｂの色彩）が視認される状態について説明する。
例えば、前述した白色表示状態とした後に、共通電極６１が正電位、個別電極６２が負電位となるように、共通電極６１および個別電極６２間に電圧を印加する。すると、図５中縦方向（上下方向）に電界が生じる。この電界の作用により、白色粒子Ａおよび黒色粒子Ｂがそれぞれ液相分散媒中を泳動する。
【００５７】
具体的には、黒色粒子Ｂは、正電位となっている共通電極６１に電気的に吸着されるように、共通電極６１側に向けて泳動する。一方の白色粒子Ａは、負電位となっている個別電極６２に電気的に吸着されるように、個別電極６２側に向けて泳動する。
このような電圧印加状態を維持すると、図５に示すように、黒色粒子Ｂは、共通電極６１付近に集合する。これにより、共通電極６１を介して黒色粒子Ｂの色が視認され、黒色表示状態となる。なお、黒色粒子Ｂは、光をほとんど透過しないため、光反射面７１１により表示コントラストが損なわれるおそれはない。
【００５８】
一方の白色粒子Ａは、個別電極６２付近に集合する。ここで、白色粒子Ａの外形は、溝７１２の幅よりも大きい。そのため、白色粒子Ａは、溝７１２内に侵入することが出来ずに、例えば光反射面７１１上に偏在することとなる。このように、白色粒子Ａの溝７１２内への侵入を防止することにより、白色粒子Ａの溝７１２内壁への固着を防止することができる。これにより、（１）黒色粒子Ｂを収容するスペースが減少し、溝７１２の大きさ等によっては、全ての黒色粒子Ｂを溝７１２内に収容することができなくなったり、（２）実際に収容部４内を泳動することのできる白色粒子Ａの数が減少し、白色粒子Ａの数、粒径によっては、明るい白表示を行うことができなったりすることを確実に防止することができる。
【００５９】
以上のようにして、電気泳動表示装置１は、低電力化を図りつつ表示色の経時変化を防止し、明るい白色表示および高コントラスト表示が可能になる。
このような構成において、白色粒子Ａおよび黒色粒子Ｂの泳動を、収容部４ごとに制御することによって、電気泳動表示装置１の表示面側には、白色粒子Ａおよび黒色粒子Ｂによる反射光に基づいて、所望の情報（画像）が表示される。
【００６０】
−電気泳動表示装置１の製造方法−
以下では、電気泳動表示装置１の製造方法について説明する。
図６、図７は、それぞれ、電気泳動表示装置１の製造方法を説明するための断面図である。
まず、図６（ａ）に示すように、分離部材３１となる基板９１０を用意する。そして、この基板９１０の上面９１１に、光反射面７１１を形成する部分を残すようにして、レジストマスク９２０を形成する。
【００６１】
次いで、レジストマスク９２０を介して、基板９１０の上面にアルミニウムの薄膜を、真空蒸着、スパッタリング、ＣＶＤなどの各種成膜方法によって成膜する。その後レジストマスク９２０を除去することにより、図６（ｂ）に示すように、基板９１０の上面９１１に、光反射面７１１が形成される。
次いで、図６（ｃ）に示すように、基板９１０を図示しないヒータを備えた載置台に載置し、前記ヒータにより基板９１０を加熱する。基板９１０が加熱された状態にて、凹部７、光反射面７１１および溝７１２（すなわち共有空間Ｓ１および収容空間Ｓ２）の形状に対応する金型９３０を基板９１０に、その上側から所定の圧力で押し当てる。これにより、図６（ｄ）に示すように、凹部７、光反射面７１１および溝７１２が形成された基板９１０が得られる。
【００６２】
次いで、図７（ａ）に示すように、各凹部７内に白色粒子Ａおよび黒色粒子Ｂを液相分散媒に分散させてなる電気泳動分散液１０を注入する。電気泳動分散液１０の注入は、例えば、ディスペンサー等を用いて行うことができる。
次いで、図７（ｂ）に示すように、封止部材３２となる透明なシート部材９４０を凹部７の上部開口を塞ぐようにして基板９１０と貼り合わせる。これにより、凹部７が封止され、電気泳動分散液１０が充填された複数の収容部４が形成される。その結果表示層５が得られる。基板９１０とシート部材９４０との接着は、例えば、接着剤等により行うことができる。
次いで、図７（ｃ）に示すように、シート部材９４０の上面に共通電極６１を形成するとともに、基板９１０の下面に、収容部４に対応するように形成された個別電極６２（個別電極片６２１）が設けられた回路基板８を貼り貼り付けることにより、電気泳動表示装置１が得られる。
【００６３】
＜第２実施形態＞
次に、本発明の電気泳動表示装置の第２実施形態について説明する。
図８は、本発明の電気泳動表示装置の第２実施形態を模式的に示す縦断面図である。なお、以下の説明では、図８の上側を「上」、下側を「下」と言う。
以下、第２実施形態にかかる電気泳動表示装置について説明するが、前記第１実施形態との相違点を中心に説明し、同様の事項については、その説明を省略する。
本実施形態にかかる電気泳動表示装置は、光反射面に代えて有色部を設けた以外は、前記第１実施形態と同様である。
【００６４】
図８に示すように、本実施形態の電気泳動表示装置１の底部（敷設部）７１は、共有空間Ｓ１に臨む面７１３と、共有空間Ｓ１に連通（開放）する溝７１２とを有している。溝７１２については、前述した第１実施形態と同様であるため、その説明を省略する。
本実施形態では、面７１３は、白色をなしている。これにより、白色表示（すなわち、白色粒子Ａが共通電極６１側に集合し、黒色粒子Ｂが溝７１２内に収容されている状態）の際、共通電極６１側から入射し、白色粒子Ａを透過した光が、黒色粒子Ｂに吸収されることなく、白色の面７１３にて散乱（拡散）されるため、電気泳動表示装置１の使用者は、白色粒子Ａによる反射光（散乱光）のみでなく、面７１３による散乱光をも視認することになるため、結果として白色表示における明るさが高くなる。その結果、電気泳動表示装置１の白色表示の明るさおよび表示コントラストを高めることができる。
【００６５】
なお、面７１３の色としては、黒色粒子（第２の電気泳動粒子）Ｂの明度よりも高い明度を有する色であれば、特に限定されず、黄色、緑色、赤色等であってもよいが、光の散乱性に優れる点で上述した白色であるのが好ましい。
以上のような本実施形態にかかる電気泳動表示装置１は、前記第１実施形態と同様の作用・効果を奏する。
【００６６】
＜第３実施形態＞
次に、本発明の電気泳動表示装置の第３実施形態について説明する。
図９は、本発明の電気泳動表示装置の第３実施形態を模式的に示す縦断面図である。
以下、第２実施形態にかかる電気泳動表示装置について説明するが、前記第１実施形態との相違点を中心に説明し、同様の事項については、その説明を省略する。
本実施形態にかかる電気泳動表示装置は、溝７１２の構成が異なる以外は、前記第１実施形態と同様である。
【００６７】
図９に示すように、各ｘ軸方向延在溝７１２ｘは、その深さ方向が白色粒子Ａおよび黒色粒子Ｂの泳動方向（ｚ軸方向）に対して傾斜するように形成されている。各ｙ軸方向延在溝７１２ｙについても同様である。これにより、共通電極６１側から収容部４の内部を視認したとき、溝７１２の内部がより視認され難くなる。そのため、溝７１２内に収容された黒色粒子Ｂもより目立たなくなる。その結果、白色表示の明るさおよび表示コントラストをより高めることができる。
以上のような本実施形態にかかる電気泳動表示装置１は、前記第１実施形態と同様の作用・効果を奏する。
【００６８】
＜電子機器＞
以上のような電気泳動表示装置１は、各種電子機器に組み込むことができる。以下、電気泳動表示装置１を備える本発明の電子機器について説明する。
＜＜電子ペーパー＞＞
まず、本発明の電子機器を電子ペーパーに適用した場合の実施形態について説明する。
図１０は、本発明の電子機器を電子ペーパーに適用した場合の実施形態を示す斜視図である。
図１０に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような電気泳動表示装置１で構成されている。
【００６９】
＜＜ディスプレイ＞＞
次に、本発明の電子機器をディスプレイに適用した場合の実施形態について説明する。
図１１は、本発明の電子機器をディスプレイに適用した場合の実施形態を示す図である。このうち、図１１中（ａ）は断面図、（ｂ）は平面図である。
図１１に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１０に示す構成と同様のものである。
【００７０】
本体部８０１は、その側部（図１１（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００７１】
また、本体部８０１の表示面側（図１１（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００７２】
また、電子ペーパー６００の挿入方向先端部（図１１中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
また、このようなディスプレイ８００では、電子ペーパー６００が、前述したような電気泳動表示装置１で構成されている。
【００７３】
なお、本発明の電子機器は、以上のようなものへの適用に限定されず、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、本発明の電気泳動表示装置を適用することが可能である。
【００７４】
以上、本発明の電気泳動表示シート、電気泳動表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、前述した実施形態では、分離部材によって、凹部の底部（敷設部）と各収容部を分離する隔壁とが一体的に形成されているものについて説明したが、これに限定されず、例えば、底部（敷設部）と各壁とを別体として形成した後に、これらを接合することにより分離部材を形成してもよい。
【図面の簡単な説明】
【００７５】
【図１】本発明の電気泳動表示装置の第１実施形態を模式的に示す縦断面図である。
【図２】図１の電気泳動表示装置が備える底部を示す拡大平面図である。
【図３】図１に示す電気泳動表示装置が備える光反射粒子の模式的拡大図である。
【図４】図１に示す電気泳動表示装置の作動を説明する断面図である。
【図５】図１に示す電気泳動表示装置の作動を説明する断面図である。
【図６】図１に示す電気泳動表示装置の製造方法を説明する断面図である。
【図７】図１に示す電気泳動表示装置の製造方法を説明する断面図である。
【図８】本発明の電気泳動表示装置の第２実施形態を模式的に示す縦断面図である。
【図９】本発明の電気泳動表示装置の第３実施形態を模式的に示す縦断面図である。
【図１０】本発明の電子機器を電子ペーパーに適用した場合の実施形態を示す斜視図である。
【図１１】本発明の電子機器をディスプレイに適用した場合の実施形態を示す図である。
【符号の説明】
【００７６】
１……電気泳動表示装置  ２……電気泳動表示シート  ３１……分離部材  ３２……封止部材  ４……収容部  ５……表示層  ６１……共通電極  ６２……個別電極  ６２１……電極片  ７……凹部  ７１……底部（敷設部）  ７１１……光反射面  ７１１ａ……単位光反射面  ７１２……溝  ７１２ｘ……ｘ軸方向延在溝  ７１２ｙ……ｙ軸方向延在溝  ７１３……面  ８……回路基板（バックプレーン）  ８１……基部  ９１０……基板  ９１１……上面  ９２０……レジストマスク  ９３０……金型  ９４０……シート部材  １０……電気泳動分散液  Ａ……第１の電気泳動粒子  Ｂ……第２の電気泳動粒子  Ｓ１……共有空間  Ｓ２……収容空間  ６００‥‥電子ペーパー  ６０１‥‥本体  ６０２‥‥表示ユニット  ８００‥‥ディスプレイ  ８０１‥‥本体部  ８０２ａ、８０２ｂ‥‥搬送ローラ対  ８０３‥‥孔部  ８０４‥‥透明ガラス板  ８０５‥‥挿入口  ８０６‥‥端子部  ８０７‥‥ソケット  ８０８‥‥コントローラー  ８０９‥‥操作部
【図１】
2010020004.tif 000003
【図２】
2010020004.tif 000004
【図３】
2010020004.tif 000005
【図４】
2010020004.tif 000006
【図５】
2010020004.tif 000007
【図６】
2010020004.tif 000008
【図７】
2010020004.tif 000009
【図８】
2010020004.tif 000010
【図９】
2010020004.tif 000011
【図１０】
2010020004.tif 000012
【図１１】
2010020004.tif 000013